(57)【要約】      （修正有）【課題】ズボン着用の儘、その表面に装着でき、かつその装着位置がずれないようにすると共に、作業時に使用する小物類を取出し収納できる簡易簡便なズボン膝当用作業用補助具の提供。【解決手段】ズボンＸの両脚に挿通して使用に用いられる左右一対のズボン膝当用作業補助具であって、方形の前当片１の内部全域又は膝当箇所に緩衝材２を内包し、外側に着脱開閉自在のカバーを有する袋部３を形成し、前当片１の裏側の上中下の左右間に伸縮自在の三本の帯片４，４，４を固着すると共に、前当片１の上辺二箇所にズボン用ベルト６に挿通固定される吊下げベルト５，５を伸縮自在かつ着脱自在に設けたズボン膝当用作業補助具。【選択図】図１
0003133985.tif 000002
【実用新案登録請求の範囲】
【請求項１】
ズボンの両脚に挿通して使用に用いられる左右一対のズボン膝当用作業補助具であって、方形の前当片の内部全域又は膝当箇所に緩衝材を内包し、外側に着脱開閉自在のカバーを有する袋部を形成し、前記前当片の裏側の上中下の左右間に伸縮自在の三本の帯片を固着すると共に、前記前当片の上辺二箇所にズボン用ベルトに挿通固定される吊下げベルトを伸縮自在かつ着脱自在に設けて成ることを特徴とするズボン膝当用作業補助具。
【請求項２】
吊下げベルトは、ズボン用ベルトに挿通固定され、かつ伸縮自在の上部の吊下げ部と、この吊下げ部と止具を介して着脱自在の下部の吊下げ部とより成り、下部の吊下げ部を当片の上辺に固着して成ることを特徴とするズボン膝当用作業補助具。
【請求項３】
前当片，帯片並びに吊下げベルトは止具を除いて全体が布製で形成して成ることを特徴とする請求項１または２記載のズボン膝当用作業用補助具。
【考案の詳細な説明】
【技術分野】
【０００１】
本考案は、各種作業に着用するズボンに装着して脚の膝部を緩衝保護できる簡易なズボン膝当用作業用補助具に関する。
【背景技術】
【０００２】
この種の緩衝用の膝当具は、数多く知られている。
【０００３】
例えば、膝頭を覆う形状のカバー体を設けたもの（例えば、特許文献１参照）とか、大腿下部から脚首に至る脚前部を被覆する可撓性シートの前面に、滑り止めパットを貼り付けたもの（例えば、特許文献２参照）とか、ゴム板と筒形状に作製し、片側を約３０〜６０度の斜めにカットした脚の膝及び脛部の保護具（例えば、特許文献３参照）などが知られている。
【特許文献１】特開平８−２９１４０４号公報
【特許文献２】特開平１０−２０４７０８号公報
【特許文献３】実用新案登録第３０５３９８３号公報
【考案の開示】
【考案が解決しようとする課題】
【０００４】
ところで、上述の先行技術は、膝部分の保護を目的とし、膝を地面や平らな箇所についても膝部分を緩衝し保護しているので、膝付き作業も、痛みを伴うことなく、種々の作業を行うことができるが、膝を付き乍らの作業中、種々の道具は手元にないので、そのための場所離れを必要としたり、膝の位置を予め正確に定めて置いても作業中、移動して膝部より離れて了うなどの不都合もあった。
【０００５】
本考案は叙上の点に着目して成されたもので、正しい膝部分の緩衝位置を予め正確に調節して作業中変動することを防止できると共に、袋部を備えているので、作業に必要な種々の小物、小道具を収納して置くことにより、その都度作業現場を離れることがないと共に、常に膝部に当接している方形の前当片には、ズボン上の膝より上下二本の伸縮自在の帯片で保持されているので、位置がズレ落ちる虞れを回避できる。
【課題を解決するための手段】
【０００６】
本考案は、以下の構成を備えることにより上記課題を解決したものである。
【０００７】
（１）ズボンの両脚に挿通して使用に用いられる左右一対のズボン膝当用作業補助具であって、方形の前当片の内部全域又は膝当箇所に緩衝材を内包し、外側に着脱開閉自在のカバーを有する袋部を形成し、前記前当片の裏側の上中下の左右間に伸縮自在の三本の帯片を固着すると共に、前記前当片の上辺二箇所にズボン用ベルトに挿通固定される吊下げベルトを伸縮自在かつ着脱自在に設けて成ることを特徴とするズボン膝当用作業補助具。
【０００８】
（２）吊下げベルトは、ズボン用ベルトに挿通固定され、かつ伸縮自在の上部の吊下げ部と、この吊下げ部と止具を介して着脱自在の下部の吊下げ部とより成り、下部の吊下げ部を当片の上辺に固着して成ることを特徴とするズボン膝当用作業補助具。
【０００９】
（３）前当片，帯片並びに吊下げベルトは止具を除いて全体が布製で形成して成ることを特徴とする前記（１）または（２）記載のズボン膝当用作業用補助具。
【考案の効果】
【００１０】
本考案によれば、作業ズボンは勿論のこと、通常のズボンでも両脚部に前当片と３本の伸縮自在の帯片との間に挿通することによって、方形の前当片を両膝部分に当接でき、特に緩衝材を内包させた最も衝撃を緩らげる箇所を、膝の最も弱い箇所に当接させると共に、その位置を常に一定に確保できるように、前当片の上辺二箇所を固定させた吊下げベルトの上部のズボン用のベルトに、挿通により吊下げの長さを自由に調節できる。したがって、常に前当片の全域に緩衝材を内包させた箇所が最も敏感で、外圧に弱い膝部分に必ず保護して膝付き作業を安心して、かつ長時間に亘って行うことができる。
【００１１】
また作業中、簡単な工具等をカバー付きの袋部内に収納しておけば、自由にいつでも取り出して使用できる利便性も有する。
【００１２】
さらに、不使用時には、吊下げベルトの上部は着脱自在となっているので、下部のベルトを取外して前当片をズボンより取外すこともできると共に、前記片の洗濯ができ、作業ズボンの汚れを無くすこともできる。
【考案を実施するための最良の形態】
【００１３】
以下本考案を実施するための最良の形態を、実施例により詳しく説明する。
【実施例】
【００１４】
以下に、本考案の一実施例を図面と共に説明する。
【００１５】
図面において、１は縦方向に長尺な方形の前当片、２は、この前当片１の内部全域又は膝当箇所の部分箇所に亘って内包させた緩衝材を示し、布切れや綿やスポンジなどの身体の膝部分に掛かる地上や床など、脚を折り曲げた際に膝部に当たる力を緩和して吸収できる材料であれば何でも良い。
【００１６】
３は、前当片１の側方に設けられる袋部で、上方開口部３ａを開閉できる蓋３ｂを備え、かつ釦，スナップなどの止具３ｃを介して袋部３を開閉自在として、さらに袋部３の一部に襞部３ｄを設けて袋部３の容積を拡大できるようにして収納量を大きくできるようにすることができる。
【００１７】
４，４，４は前当片１の裏面の上中下の左右間に固着したゴム紐などの伸縮自在の三本の帯片で、前当片１をズボンＸに弾性的に被着させことができる。
【００１８】
５，５は、前当片１の上辺二箇所に固着した吊下げベルトを示し、上部の吊下げ部５ａ，５ａはズボン用ベルト６に挿通できる環部７，７を有し、かつ開放端には一方の止具８ａ，８ａを備え、下部の吊下げ部５ｂ，５ｂには前記止具８ａ，８ａと係脱できる他方の止具８ｂ，８ｂを備える。そして、いずれかの吊下げ部５ａ，５ａ又は５ｂ，５ｂには、長さを長短に調節できる長さ調節具９，９を有し、前記前当片１のズボン用ベルト６からの位置を正しく規制し、前当片１の緩衝材２が膝部箇所に常時位置することができるように調節する。
【００１９】
そして、上述の構成の前当片１や吊下げベルト５は、全体が布製で比較的丈夫な繊維組織で形成され、かつ二本のズボンＸに挿通して使用できるように二本２組で構成される。
【００２０】
叙上の構成に成るので、予め吊下げベルト５，５の上部の吊下げ部５ａ，５ａを使用する、各種ズボンＸに挿通したズボン用ベルト６に、環部７を介して挿通して固定させて置き、併せて左右のズボンの脚部に前当片１を、三本の帯片４を介して挿通し、前当片１の略中央箇所が膝部に当接するように位置決めすると共に、前当片１の上辺に設けた下部の吊下げ部５ｂと上部の吊下げ部５ａとを、止め具８ａ，８ｂとより所望の長さに調節し乍ら係止させて身体の脚の左右のズボン脚に装着させることができる。
【００２１】
したがって、装着した状態で図４に示すように膝付き作業を行っても、作業者の膝は常に前当片１の緩衝材２を保護し、痛みなどの苦痛を伴うことなく楽に作業できる。路面とか床などが汚れていてもズボンＸに当たらないのでズボンＸの汚れを防ぐことができると共に、取外しが簡単であるので前当片１の汚れは簡単に洗濯できる。
【図面の簡単な説明】
【００２２】
【図１】本考案の使用状態を示す一部切欠正面図
【図２】図１のＩＩ−ＩＩ線断面図
【図３】吊下げベルトの止具構成を示す正面図で、（ａ）は係合状態、（ｂ）は離脱状態をそれぞれ示す
【図４】本考案の膝付作業の状態を示す側面図
【符号の説明】
【００２３】
１      前当片
２      緩衝材
３      袋部
３ａ    上方開口部
３ｂ    蓋
３ｃ    止具
３ｄ    襞部
４，４，４    帯片
５，５    吊下げベルト
５ａ，５ａ    上部の吊下げ部
５ｂ，５ｂ    下部の吊下げ部
６        ズボン用ベルト
７，７    環部
８ａ，８ａ    止具
８ｂ，８ｂ    止具
９，９    長さ調節具
Ｘ        ズボン
【図１】
0003133985.tif 000003
【図２】
0003133985.tif 000004
【図３】
0003133985.tif 000005
【図４】
0003133985.tif 000006
【手続補正書】
【提出日】平成19年5月17日(2007.5.17)
【手続補正１】
【補正対象書類名】実用新案登録請求の範囲
【補正対象項目名】請求項２
【補正方法】変更
【補正の内容】
【請求項２】
吊下げベルトは、ズボン用ベルトに挿通固定され、かつ伸縮自在の上部の吊下げ部と、この吊下げ部と止具を介して着脱自在の下部の吊下げ部とより成り、下部の吊下げ部を当片の上辺に固着して成ることを特徴とする請求項１記載のズボン膝当用作業補助具。
【手続補正２】
【補正対象書類名】明細書
【補正対象項目名】０００８
【補正方法】変更
【補正の内容】
【０００８】
（２）吊下げベルトは、ズボン用ベルトに挿通固定され、かつ伸縮自在の上部の吊下げ部と、この吊下げ部と止具を介して着脱自在の下部の吊下げ部とより成り、下部の吊下げ部を当片の上辺に固着して成ることを特徴とする前記（１）記載のズボン膝当用作業補助具。